(57)【要約】【課題】  インターバル撮影によって生成される高解像度な画像ファイルのデータ選別を効率化するための技術を提供することを目的とする。【解決手段】  本発明の電子カメラは、撮像部、高解像度記録部、低解像度記録部、およびデータ管理部を備える。撮像部は、予め定められたタイミングに従って高解像度撮影を複数回行うインターバル撮影の機能を有する。高解像度記録部は、インターバル撮影される複数コマの高解像度画像を記録処理する。低解像度記録部は、複数コマの高解像度画像を解像度変換して低解像度画像を生成し、低解像度画像を撮影順に動画再生する低解像度動画ファイルを作成して記録処理する。データ管理部は、低解像度動画ファイル内の低解像度画像と、対応する高解像度画像との関連付けを記憶し、低解像度動画ファイル内の低解像度画像の照会要求を受けると、この関連付けに基づいて高解像度画像を特定する。【選択図】      図４
2005197948.tif 000002
【特許請求の範囲】
【請求項１】
予め定められたタイミングで高解像度撮影を複数回行うインターバル撮影の機能を有する撮像部と、
前記インターバル撮影される複数コマの高解像度画像を記録処理する高解像度記録部と、
前記複数コマの高解像度画像を解像度変換して低解像度画像を生成し、前記低解像度画像を撮影順に動画再生する低解像度動画ファイルを作成して記録処理する低解像度記録部と、
前記低解像度動画ファイル内の低解像度画像と、対応する前記高解像度画像との関連付けを記憶し、前記低解像度動画ファイル内の低解像度画像の照会命令が与えられると、前記関連付けに基づいて前記高解像度画像を特定するデータ管理部と
を備えたことを特徴とする電子カメラ。
【請求項２】
請求項１に記載の電子カメラにおいて、
画像を表示するモニタ画面と、
前記モニタ画面に前記低解像度動画ファイルを動画再生する動画再生部と、
ユーザーから前記低解像度動画ファイルの再生一時停止を受け付ける操作部と、
前記再生一時停止を受け付けると、前記データ管理部に照会して、前記低解像度動画ファイルの再生一時停止コマに対応する前記高解像度画像を特定し、特定した前記高解像度画像を前記モニタ画面に表示するスチル再生部とを備え、
前記低解像度動画ファイルの再生一時停止に際して高画質なスチル再生を可能にした
ことを特徴とする電子カメラ。
【請求項３】
請求項１ないし請求項２のいずれか１項に記載の電子カメラにより記録された前記高解像度画像と前記低解像度動画ファイルとを取得して再生動作を行う画像再生装置であって、
前記低解像度動画ファイルを動画再生する動画再生部と、
ユーザーから前記低解像度動画ファイルの再生一時停止を受け付ける操作部と、
前記低解像度動画ファイル内の低解像度画像と、対応する前記高解像度画像との関連付けを記憶し、前記低解像度動画ファイル内の低解像度画像の照会命令が与えられると、前記関連付けに基づいて前記高解像度画像を特定するデータ管理部と
前記操作部が再生一時停止を受け付けると、前記データ管理部に照会して、前記低解像度動画ファイルの再生一時停止コマに対応する前記高解像度画像を特定し、特定した前記高解像度画像を表示するスチル再生部とを備え、
前記低解像度動画ファイルの再生一時停止に際して高画質なスチル再生を可能にした
ことを特徴とする画像再生装置。
【請求項４】
コンピュータを、請求項３に記載の前記データ管理部、前記動画再生部、前記操作部、および前記スチル再生部として機能させるための画像再生プログラム。
【発明の詳細な説明】
【技術分野】
【０００１】
本発明は、インターバル撮影機能付きの電子カメラに関する。
また、本発明は、インターバル撮影された画像を再生する装置、および画像再生プログラムに関する。
【背景技術】
【０００２】
従来、インターバル撮影機能付きの電子カメラが知られている。
例えば、特許文献１には、インターバル撮影によって取得された静止画像をＶＧＡサイズに低解像度化した上で、ＭｏｔｉｏｎＪＰＥＧなどの動画ファイルを生成する技術が開示されている。この種の低解像度動画ファイルは、再生動作の処理コストが比較的軽く、電子カメラやパソコン上において動画再生を行ってもコマ落ちなどの不具合が生じにくい。
【０００３】
また、特許文献１には、上述の動画ファイルの他に、インターバル撮影から静止画像ファイルを生成する技術も開示されている。
【特許文献１】特開２００３−２４４６１４号公報（段落００５４，段落０１８３）
【発明の開示】
【発明が解決しようとする課題】
【０００４】
ところで、上述したインターバル撮影では、多数の静止画像ファイルが次々に生成される。ユーザーが、これら多数の静止画像ファイルの中から、所望の画像を選別するには、静止画像ファイルを一コマずつチェックしなければならず、面倒な手間がかかるという問題点があった。
特に、微速度現象の撮影では、前後コマの絵柄の違いが微妙なため、適切なタイミングの画像を選別することは非常に難しかった。
【０００５】
一方、上述した低解像度動画ファイルの再生動作においても別の問題があった。すなわち、通常の動画再生では、１コマ１コマの低解像度画像を高速に入れ替えて表示する。そのため、低解像度画像の粗さはユーザーが許容できる範囲に収まる。しかしながら、この動画再生を一時停止して再生コマをスチル表示した場合、低解像度化による画像の粗さが際だって目立ってしまうという問題点があった。
【０００６】
そこで、本発明は、インターバル撮影によって生成される画像ファイルの選別作業を効率化するための技術を提供することを目的とする。
【課題を解決するための手段】
【０００７】
《請求項１》
請求項１の電子カメラは、撮像部、高解像度記録部、低解像度記録部、およびデータ管理部を備える。
撮像部は、予め定められたタイミングで高解像度撮影を複数回行うインターバル撮影の機能を有する。
高解像度記録部は、インターバル撮影される複数コマの高解像度画像を記録処理する。
低解像度記録部は、複数コマの高解像度画像を解像度変換して低解像度画像を生成し、低解像度画像を撮影順に動画再生する低解像度動画ファイルを作成して記録処理する。
データ管理部は、低解像度動画ファイル内の低解像度画像と、対応する高解像度画像との関連付けを記憶し、低解像度動画ファイル内の低解像度画像の照会命令が与えられると、この関連付けに基づいて高解像度画像を特定する。
【０００８】
《請求項２》
請求項２の発明は、請求項１に記載の電子カメラにおいて、モニタ画面、動画再生部、操作部、およびスチル再生部を備える。
モニタ画面は、画像を表示するものである。
動画再生部は、このモニタ画面に低解像度動画ファイルを動画再生する。
操作部は、ユーザーから低解像度動画ファイルの再生一時停止を受け付ける。
スチル再生部は、再生一時停止を受け付けると、データ管理部に照会して、低解像度動画ファイルの再生一時停止コマに対応する高解像度画像を特定し、特定した高解像度画像をモニタ画面に表示する。
上記構成により、低解像度動画ファイルの再生一時停止に際して、高画質なスチル再生を可能にする。
【０００９】
《請求項３》
請求項３の発明は、請求項１ないし請求項２のいずれか１項に記載の電子カメラにより記録された高解像度画像と低解像度動画ファイルとを取得して再生動作を行う画像再生装置である。この画像再生装置は、動画再生部、操作部、データ管理部、およびスチル再生部を備える。
動画再生部は、低解像度動画ファイルを動画再生する。
操作部は、ユーザーから低解像度動画ファイルの再生一時停止を受け付ける。
データ管理部は、低解像度動画ファイル内の低解像度画像と、対応する高解像度画像との関連付けを記憶し、低解像度動画ファイル内の低解像度画像の照会命令が与えられると、関連付けに基づいて高解像度画像を特定する。
スチル再生部は、操作部が再生一時停止を受け付けると、データ管理部に照会して、低解像度動画ファイルの再生一時停止コマに対応する高解像度画像を特定し、特定した高解像度画像を表示する。
上記構成により、低解像度動画ファイルの再生一時停止に際して高画質なスチル再生を可能にする。
【００１０】
《請求項４》
請求項４に記載の発明は、コンピュータを、請求項３に記載の動画再生部、操作部、データ管理部、およびスチル再生部として機能させるための画像再生プログラムである。
【発明の効果】
【００１１】
《請求項１》
請求項１の発明は、低解像度動画ファイル内の低解像度画像と、対応する高解像度画像との関連付けを記憶し、その関連付けに基づいて高解像度画像の記録データをコマ単位に特定する。
その結果、ユーザーは、低解像度動画ファイルの再生表示に基づいて所望の再生コマを選択することで、所望のタイミングの高解像度画像を簡単かつ適切に選別することが可能になる。
特に、低解像度動画ファイルは、その動画再生の処理コストが軽いため、電子カメラにおいて円滑な動画再生のスタート・ストップを軽快に切り替えられる。この円滑な動画再生を行いながら、ユーザーは、対応する高解像度画像の前後コマの微妙な絵柄の違いを的確に判別できる。その結果、ユーザーは、この微妙な違いを踏まえて、適切なタイミングの高解像度画像を簡単かつ確実に選別することができる。
このような選別作業の高い操作性は、大量の高解像度画像を一コマずつチェックするなどの煩雑な作業では不可能な内容であり、従来予想できなかった快適な操作環境をユーザーに提供するものである。
【００１２】
《請求項２》
請求項２の発明は、上述した動画再生の操作に際して、再生一時停止コマに対応する高解像度画像を特定する。従来は、この再生一時停止コマが、解像度の粗い状態でスチル再生されていたため、表示画質の劣化が際だって目立っていた。しかしながら、ここでは、特定した高解像度画像を代わりにモニタ画面にスチル表示するので、再生一時停止コマとの絵柄の違いもなく、かつ高画質なスチル再生が実現可能になる。
このような簡単な処理により、電子カメラのモニタ表示を確実に高品位化することが可能になる。
【００１３】
《請求項３》
請求項３の発明は、上述した低解像度動画ファイルと高解像度画像を取得して、低解像度動画ファイルを動画再生する画像再生装置である。
この画像再生装置は、低解像度動画ファイルの再生一時停止コマに対応する高解像度画像を特定し、特定した高解像度画像をスチル再生する。従来は、この再生一時停止コマが、解像度の粗いままスチル再生されていたため、表示画質の劣化が際だって目立っていた。しかしながら、ここでは、特定した高解像度画像を代わりにスチル表示するので、再生一時停止コマとの絵柄の違いもなく、かつ高画質なスチル再生が可能になる。
このような簡単な処理により、画像再生装置の表示性能を確実に高品位化することが可能になる。
【００１４】
《請求項４》
請求項４の画像再生プログラムを用いて、コンピュータを請求項３の画像再生装置として機能させることが可能になる。
【発明を実施するための最良の形態】
【００１５】
《本実施形態の構成説明》
図１は、本実施形態の構成を示すブロック図である。
図１において、電子カメラ１１には、撮影レンズ１２が装着される。この撮影レンズ１２の像空間には、撮像素子１３の受光面が配置される。この撮像素子１３は、タイミングジェネレータ２２ｂの出力パルスによって動作が制御される。
この撮像素子１３で生成される画像は、Ａ／Ｄ変換部１５および信号処理部１６を介して、バッファメモリ１７に一時記憶される。
このバッファメモリ１７は、バス１８に接続される。このバス１８には、画像処理部１９、カードインターフェース２０、マイクロプロセッサ２２、圧縮伸張部２３、および画像表示部２４が接続される。この内、カードインターフェース２０は、着脱自在なメモリカード２１に対するデータの読み書きを行う。また、マイクロプロセッサ２２には、電子カメラ１１のスイッチ群２２ａからユーザー操作の信号が入力される。さらに、画像表示部２４は、電子カメラ１１の背面に設けられたモニタ画面２５に画像を表示する。
また、メモリカード２１の記録データは、ケーブルなどを介してコンピュータ３１に転送される。
【００１６】
《発明との対応関係》
以下、発明と本実施形態との対応関係について説明する。なお、ここでの対応関係は、参考のために一解釈を例示するものであり、本発明を徒らに限定するものではない。
請求項記載の撮像部は、撮像素子１３、タイミングジェネレータ２２ｂ、およびマイクロプロセッサ２２の『撮像素子１３を制御してインターバル撮影を実行する機能』に対応する。
請求項記載の高解像度記録部は、マイクロプロセッサ２２、画像処理部１９、圧縮伸張部２３、およびカードインターフェース２０による『インターバル撮影された高解像度画像を静止画ファイルとして記録する機能』に対応する。
請求項記載の低解像度記録部は、マイクロプロセッサ２２、画像処理部１９、およびカードインターフェース２０による『高解像度画像から低解像度動画ファイルを生成して記録する機能』に対応する。
請求項記載のデータ管理部は、マイクロプロセッサ２２による『低解像度動画ファイルの再生コマと、静止画ファイルとを関連付けてデータ管理する機能』に対応する。
請求項記載の動画再生部は、圧縮伸張部２３、および画像表示部２４による『低解像度動画ファイルを動画再生する機能』に対応する。
請求項記載の操作部は、スイッチ群２２ａに対応する。
請求項記載のスチル再生部は、マイクロプロセッサ２２、圧縮伸張部２３、および画像表示部２４の『動画再生の一時停止に際して、対応する静止画ファイルをスチル再生する機能』に対応する。
【００１７】
《インターバル撮影の動作説明》
図２は、電子カメラ１１によるインターバル撮影の動作を説明する流れ図である。
以下、図２に示すステップ番号に沿って、インターバル撮影の動作を説明する。
【００１８】
［ステップＳ０］  ユーザーは、スイッチ群２２ａを操作して、インターバル撮影の設定を行う。
例えば、電子カメラ１１は、撮影時間間隔の選択肢として、連写処理の可能な最短時間から数時間までの範囲をメニュー提示する。ユーザーは、このメニュー提示の中から所望の撮影時間間隔を選択することができる。また、インターバル撮影を自動的に終了させたい場合は、トータルの撮影コマ数を入力設定することもできる。
また、ユーザーが、定時の撮影時間を個別に電子カメラ１１に入力設定することもできる。
さらに、ユーザーが、インターバル撮影のトータル期間と、作成する低解像度動画ファイルの再生時間とを電子カメラ１１に入力設定することもできる。この場合、電子カメラ１１は、トータル時間および再生時間に基づいて、インターバル撮影の時間間隔と、撮影コマ数とをそれぞれ決定する。
さらに、ユーザーが、インターバル撮影で生成する高解像度画像の解像度を予め設定入力することもできる。
なお、このような設定入力がユーザーから無い場合には、予め設定されたデフォルトの設定値がそのまま採用される。
ユーザーは、必要に応じて上記設定を行った後、スイッチ群２２ａを操作して、電子カメラ１１にインターバル撮影の開始を指示する。
【００１９】
［ステップＳ１］  マイクロプロセッサ２２は、カードインターフェース２０を用いて、メモリカード２１内にフォルダ『＊＊＊ＩＮＴＶＬ』を新規作成する。このフォルダは、インターバル撮影で生成される静止画ファイルを逐次記録するためのフォルダである。
このフォルダ名の中の『＊＊＊』は、個々のインターバル撮影において、マイクロプロセッサ２２が所定の名付け規則に従って自動作成する符号列であり、インターバル撮影の固有識別子である。
図３に示すフォルダ『１０１ＩＮＴＶＬ』，『１０２ＩＮＴＶＬ』は、このように生成されるフォルダの一例である。
【００２０】
［ステップＳ２］  マイクロプロセッサ２２は、内部タイマから時間情報を取得し、ステップＳ０で予め設定されたインターバル撮影の撮影タイミングに条件合致したか否かを判定する。
ここで、撮影タイミングに合致した場合、マイクロプロセッサ２２はステップＳ３に動作を移行する。
一方、撮影タイミングとは異なる場合、マイクロプロセッサ２２は、ステップＳ３以降の動作を飛ばして、ステップＳ９に動作を移行する。
【００２１】
［ステップＳ３］  マイクロプロセッサ２２は、タイミングジェネレータ２２ｂを用いて撮像動作を実施する。この撮像動作において、撮像素子１３の全画素読み出しが行われ、画像データが出力される。この画像データは、Ａ／Ｄ変換部１５を介してデジタル化された後、信号処理部１６に入力される。信号処理部１６は、入力される画像データに対して、階調変換やホワイトバランスなどの信号処理を施した後、画像データをバッファメモリ１７に一時格納する。
画像処理部１９は、バッファメモリ１７内の画像データにアクセスして、色補間や色変換、更にステップＳ０で設定された解像度変換などのデータ加工を施し、高解像度画像を得る。
【００２２】
［ステップＳ４］  圧縮伸張部２３は、バッファメモリ１７内の高解像度画像を処理単位ずつ読み出して、ＪＰＥＧ方式などの画像圧縮処理を実施し、高解像度画像の圧縮データを生成する。
一方、マイクロプロセッサ２２は、バッファメモリ１７内の高解像度画像をＱＶＧＡサイズ（３２０×２４０画素）に低解像度化した上で、ソフトウェアによる画像圧縮処理を実施し、低解像度画像の圧縮データを生成する。
【００２３】
［ステップＳ５］  マイクロプロセッサ２２は、圧縮伸張部２３から出力される高解像度画像の圧縮データに、ヘッダ情報やマーカーコードを付加して静止画ファイル『ＤＳＣＮ・・・・．ＪＰＧ』を生成する。この静止画ファイル『ＤＳＣＮ・・・・．ＪＰＧ』は、カードインターフェース２０によって、フォルダ『＊＊＊ＩＮＴＶＬ』の階層下に記録される。
なお、ファイル名の中の『・・・・』は、インターバル撮影の１コマ毎に、マイクロプロセッサ２２が所定の名付け規則に従って自動作成する符号列であり、インターバル撮影１コマ毎の固有識別子である。
図３に示すファイル『ＤＳＣＮ０００１．ＪＰＧ』などは、このように生成される静止画ファイルの一例である。
【００２４】
［ステップＳ６］  続いて、マイクロプロセッサ２２は、今回の撮像動作がインターバル撮影の１コマ目か否かを判定する。
もし、１コマ目の場合、マイクロプロセッサ２２は、ステップＳ７に動作を移行する。
一方、２コマ目以降の場合、マイクロプロセッサ２２は、ステップＳ８に動作を移行する。
【００２５】
［ステップＳ７］  マイクロプロセッサ２２は、ステップＳ４で生成された低解像度画像の圧縮データを１コマ目として、メモリカード２１内に低解像度動画ファイル『ＤＳＣＮ＃＃＃＃．ｍｏｖ』を新規作成する。
ただし、ファイル名の中の『＃＃＃＃』は、個々のインターバル撮影ごとに、マイクロプロセッサ２２が自動作成する符号列であり、インターバル撮影の固有識別子である。
なお、この識別子『＃＃＃＃』は、ステップＳ１で説明した識別子『＊＊＊』と１対１の対応関係にあり、予め定められた名付け規則に従って、一方の識別子から他方の識別子を得ることが可能である。
図３に示すファイル『ＤＳＣＮ０００１．ｍｏｖ』などは、このように生成される低解像度動画ファイルの一例である。
以上のような動作の後、マイクロプロセッサ２２はステップＳ９に動作を移行する。
【００２６】
［ステップＳ８］  マイクロプロセッサ２２は、メモリカード２１内の低解像度動画ファイル『ＤＳＣＮ＃＃＃＃．ｍｏｖ』の最終コマに、ステップＳ４で生成された低解像度画像の圧縮データを追加する。このような動作により、低解像度動画ファイル『ＤＳＣＮ＃＃＃＃．ｍｏｖ』は、インターバル撮影の１コマ毎にデータ更新される。
【００２７】
［ステップＳ９］  ここで、マイクロプロセッサ２２は、インターバル撮影が完了したか否かを判定する。このようなインターバル撮影の完了は、ステップＳ０で設定された撮影コマ数に到達するか、あるいはユーザーからインターバル撮影の停止が電子カメラ１１に指示入力されることによってなされる。
インターバル撮影が継続中の場合、マイクロプロセッサ２２は、ステップＳ２に動作を戻す。
一方、インターバル撮影が完了した場合、マイクロプロセッサ２２は、一連の動作を終了する。
【００２８】
《低解像度動画ファイルの再生》
上述のインターバル撮影によって、メモリカード２１内には、低解像度動画ファイル、および高解像度の静止画ファイル群がそれぞれ生成される。
図４は、この低解像度動画ファイルの再生動作に関する流れ図である。
この図４のステップ番号に沿って、電子カメラ１１の動画再生動作について説明する。
【００２９】
［ステップＳ２１］  まず、ユーザーは、スイッチ群２２ａを操作して、電子カメラ１１を再生モードに切り換える。この状態で、ユーザーは、スイッチ群２２ａを操作して、低解像度動画ファイル『ＤＳＣＮ＃＃＃＃．ｍｏｖ』の動画再生を電子カメラ１１に指示する。
【００３０】
［ステップＳ２２］  マイクロプロセッサ２２は、カードインターフェース２０を介して、指示された低解像度動画ファイル『ＤＳＣＮ＃＃＃＃．ｍｏｖ』をメモリカード２１から読み出す。
読み出された低解像度動画ファイル『ＤＳＣＮ＃＃＃＃．ｍｏｖ』は、圧縮伸張部２３などによって画像伸張され、低解像度画像がコマ単位に生成される。画像表示部２４は、これら低解像度画像をモニタ画面２５に順次表示することにより、動画再生を開始する。
【００３１】
［ステップＳ２３］  この動画再生中、ユーザーは、スイッチ群２２ａを操作して、電子カメラ１１に動画再生の一時停止を指示することができる。
マイクロプロセッサ２２は、ステップＳ２３において、この再生一時停止の指示入力があったか否かを判定する。
もしも、再生一時停止の指示入力があった場合、マイクロプロセッサ２２は、ステップＳ２４に動作を移行する。
一方、再生一時停止の指示入力が無い場合、マイクロプロセッサ２２は、ステップＳ２４以降の動作を飛ばして、ステップＳ３３に動作を移行する。
【００３２】
［ステップＳ２４］  まず、マイクロプロセッサ２２は、画像表示部２４に対して動画再生の一時停止を指令する。画像表示部２４は、現時点の再生コマ（以下『再生一時停止コマ』という）で動画再生を一時停止する。
【００３３】
［ステップＳ２５］  マイクロプロセッサ２２は、低解像度動画ファイルのファイル名中の識別子『＃＃＃＃』に対応する識別子『＊＊＊』を、上述した名付け規則に従って求め、メモリカード２１内のフォルダ『＊＊＊ＩＮＴＶＬ』を特定する。
【００３４】
［ステップＳ２６］  次に、マイクロプロセッサ２２は、再生一時停止コマの動画コマ番号に対応する識別子『・・・・』を、上述した所定の名付け規則に従って求め、対応する静止画ファイルの名前『ＤＳＣＮ・・・・.ＪＰＧ』を特定する。
【００３５】
［ステップＳ２７］  マイクロプロセッサ２２は、カードインターフェース２０を介してメモリカード２１にアクセスし、ステップＳ２５で特定したフォルダ『＊＊＊ＩＮＴＶＬ』の階層下から、ステップＳ２６で特定した静止画ファイル『ＤＳＣＮ・・・・.ＪＰＧ』を読み出す。
読み出された静止画ファイル『ＤＳＣＮ・・・・.ＪＰＧ』は、圧縮伸張部２３によって画像伸張され、高解像度画像が生成される。
画像表示部２４は、現在の再生一時停止コマのスチル再生を、この高解像度画像のスチル再生に切り換える。
なお、静止画ファイル『ＤＳＣＮ・・・・.ＪＰＧ』中に、再生一時停止コマよりも高解像度のクイックビュー画像が含まれている場合は、このクイックビュー画像を高解像度画像としてスチル再生してもよい。
【００３６】
［ステップＳ２８］  この状態で、ユーザーは、スイッチ群２２ａを操作して、スチル再生中の静止画ファイル『ＤＳＣＮ・・・・.ＪＰＧ』に対するデータ操作を電子カメラ１１に指示入力することができる。
このようなデータ操作の指示入力があった場合、マイクロプロセッサ２２はステップＳ２９に動作を移行する。
一方、データ操作の指示入力が無い場合、マイクロプロセッサ２２はステップＳ２９以降の動作を飛ばして、ステップＳ３１に動作を移行する。
【００３７】
［ステップＳ２９］  マイクロプロセッサ２２は、スチル再生中の静止画ファイル『ＤＳＣＮ・・・・.ＪＰＧ』に対して、指示されたデータ操作（消去、転送指定、属性変更、コマ送り、コマ戻しなど）を実施する。
例えば、消去指示に対して、マイクロプロセッサ２２は、メモリカード２１内のフォルダ『＊＊＊ＩＮＴＶＬ』の階層下から、静止画ファイル『ＤＳＣＮ・・・・.ＪＰＧ』を消去する。この場合、マイクロプロセッサ２２は、消去した静止画ファイルに代えて、次コマの静止画ファイルをスチル再生する。
また、転送指定や属性変更に対して、マイクロプロセッサ２２は、メモリカード２１内のフォルダ『＊＊＊ＩＮＴＶＬ』の階層下にある静止画ファイル『ＤＳＣＮ・・・・.ＪＰＧ』に対して、転送指定や属性変更に該当するデータ更新を行う。
一方、コマ送りやコマ戻しに対して、マイクロプロセッサ２２は、まず、再生一時停止コマの前後コマの動画コマ番号を求め、この動画コマ番号に該当する前後コマを新たな再生一時停止コマとする。次に、マイクロプロセッサ２２は、この新たな動画コマ番号に該当する静止画ファイルをフォルダ『＊＊＊ＩＮＴＶＬ』の階層下から読み出し、モニタ画面２５にスチル再生する。なお、このスチル再生の切り換え動作に時間がかかる場合には、低解像度動画ファイル内の前後コマを一時的にスチル再生することが好ましい。
【００３８】
［ステップＳ３０］  マイクロプロセッサ２２は、ステップＳ２９で実施したデータ操作と同様のデータ操作（消去など）を、必要に応じて低解像度動画ファイル内の再生一時停止コマにも施す。
例えば、消去指示に対して、マイクロプロセッサ２２は、低解像度動画ファイル内の再生一時停止コマを消去して、低解像度動画ファイルをデータ更新する。
このとき、消去された再生一時停止コマの動画コマ番号を欠番扱いにすることが好ましい。この場合、その他の動画コマ番号は変更されないため、低解像度動画ファイル内の動画コマ番号と、静止画ファイル群との関連付け（対応関係）は崩れない。
一方、再生一時停止コマの消去により、低解像度動画ファイル内の動画コマ番号が繰り上がってしまう場合、名付け規則を柔軟に変更するか、名付け規則に従って静止画ファイル群の名前を付け替えるなどの動作が必要となる。
【００３９】
［ステップＳ３１］  ここで、マイクロプロセッサ２２は、ユーザーによって再生一時停止が解除されたか否かを判定する。
この解除操作がユーザーによってなされた場合、マイクロプロセッサ２２はステップＳ３２に動作を移行する。
一方、解除操作がなされない場合、マイクロプロセッサ２２は、スチル再生を継続したままステップＳ２８に動作を戻することにより、新たなデータ操作に対処する。
【００４０】
［ステップＳ３２］  ここでは再生一時停止が解除されたので、マイクロプロセッサ２２は、低解像度動画ファイル『ＤＳＣＮ＃＃＃＃．ｍｏｖ』の動画再生を、再生一時停止コマの次コマから再開する。
【００４１】
［ステップＳ３３］  マイクロプロセッサ２２は、低解像度動画ファイル『ＤＳＣＮ＃＃＃＃．ｍｏｖ』の動画再生が終了するまで、ステップＳ２３に戻って動作を繰り返す。
一方、ユーザーによる動画再生の停止指示や、最終コマの再生を完了すると、動画再生が終了したと判断し、マイクロプロセッサ２２は上述した動画再生の動作を終了する。
【００４２】
《本実施形態の効果など》
以上説明したように、本実施形態では、ユーザーは、低解像度動画ファイルの再生操作を通して所望のタイミングの再生一時停止コマを選択し、その再生一時停止コマに対応する静止画ファイルを簡単に特定することができる。
【００４３】
さらに、低解像度動画ファイルの動画再生を一時停止すると、その再生一時停止コマに対応する静止画像ファイルがスチル再生される。したがって、再生一時停止のスチル再生を簡単に高品位化することが可能になる。
【００４４】
《本実施形態の補足事項》
なお、上述した実施形態では、図４に示す動作を実行することにより、電子カメラ１１を画像再生装置として機能させている。しかしながら、本発明はこれに限定されるものではない。例えば、外部の画像再生装置に、図４と同様の動作を実行させてもよいし、図４に示す動作手順の画像再生プログラムを作成してもよい。この場合、コンピュータ３１で画像再生プログラムを実行することにより、コンピュータ３１を本発明の画像再生装置として機能させることができる。
【００４５】
なお、上述した実施形態では、高解像度画像を静止画ファイルの形式で記録している。しかしながら、本発明はこれに限定されるものではない。例えば、インターバル撮影された複数コマの高解像度画像からＭｏｔｉｏｎＪＰＥＧ方式その他の高解像度動画ファイルを作成してもよい。（この場合、インターバル撮影の１コマ毎に、高解像度動画ファイルをデータ更新することが好ましい）
【００４６】
このように作成される高解像度動画ファイルは、動画再生の処理負担が重く、円滑な動画再生を行うことが、現状のコンピュータ環境では難しい。
しかしながら、本発明では、低解像度動画ファイルを動画再生することにより、一般的なコンピュータ環境であれば動画再生を円滑に実現できる。この場合、ユーザーは、この円滑な動画再生を操作しながら、高解像度動画ファイルの対応コマを簡単かつ直感的に選別し、その対応コマに対するデータ操作を軽快に実行できる。
【００４７】
さらに、この動画再生の一時停止に際して、高解像度動画ファイルから対応コマを抽出してスチル再生するため、再生一時停止におけるスチル表示を容易に高品位化できる。
【産業上の利用可能性】
【００４８】
以上説明したように、本発明は、電子カメラや画像再生装置などに利用可能な技術である。
【図面の簡単な説明】
【００４９】
【図１】本実施形態の構成を示すブロック図である。
【図２】電子カメラ１１によるインターバル撮影の動作を説明する流れ図である。
【図３】メモリカードのフォルダ構成を説明する図である。
【図４】低解像度動画ファイルの再生動作に関する流れ図である。
【符号の説明】
【００５０】
１１  電子カメラ
１２  撮影レンズ
１３  撮像素子
１５  Ａ／Ｄ変換部
１６  信号処理部
１７  バッファメモリ
１８  バス
１９  画像処理部
２０  カードインターフェース
２１  メモリカード
２２  マイクロプロセッサ
２２ａ  スイッチ群
２２ｂ  タイミングジェネレータ
２３  圧縮伸張部
２４  画像表示部
２５  モニタ画面
３１  コンピュータ
【図１】
2005197948.tif 000003
【図２】
2005197948.tif 000004
【図３】
2005197948.tif 000005
【図４】
2005197948.tif 000006